(57)【特許請求の範囲】
【請求項１】
被写体を観察可能なファインダ装置と、
焦点検出可能な領域を示す複数の焦点検出領域を前記ファインダ装置により観察される被写体と重ねて表示させる焦点検出領域表示部と、
前記被写体の輝度値を測定する、複数の受光領域を有する測光部と、
少なくとも１つの前記受光領域から構成される測光領域を用いて又は重点的に用いて露出値を演算する露出演算処理部と、
レリーズ釦と、
前記レリーズ釦が押圧操作された際に、該押圧操作に応じて実行される焦点調節に用いられる焦点検出領域を所定時間表示し終えた後に、選択された前記測光領域に相当する焦点検出領域を前記焦点検出領域表示部によって所定時間表示させる制御部と
を具備することを特徴とするカメラ。
【請求項２】
請求項１に記載のカメラにおいて、
前記制御部はさらに、焦点検出に用いられる前記焦点検出領域の表示時間より、測光領域に相当する前記焦点検出領域の表示時間を短く表示することを特徴とすることを特徴とするカメラ。
【請求項３】
請求項１に記載のカメラはさらに、
前記露出演算処理部で用いられる前記測光領域を選択する測光領域選択部を具備し、
前記測光領域選択部により、測光領域が変更された際に、前記選択された測光領域に相当する前記焦点検出領域を前記焦点検出領域表示部によって表示させることを特徴とするカメラ。
【請求項４】
請求項１乃至３に記載のカメラはさらに、前記焦点検出領域を照明する照明部を具備し、
前記制御部は、前記選択された測光領域に相当する前記焦点検出領域を前記焦点検出領域表示部によって表示した際に、該焦点検出領域を前記照明部により照明することにより点灯表示させることを特徴とするカメラ。
【発明の詳細な説明】
【技術分野】
【０００１】
カメラに関する。
【背景技術】
【０００２】
従来より、ファインダーにより観察される被写体に、複数ある焦点検出領域や測光領域等の領域を重ねて表示させるカメラがある。例えば光学ファインダーで観察される被写体像に焦点検出領域や測光領域等の領域を重ねて表示するために、これらの領域をスクリーン等に刻印したものがある。この場合は、常に被写体像と重ねて焦点検出領域や測光領域が被写体像に重ねて表示されファインダー表示が煩雑となる。また、焦点検出や測光の領域を液晶表示装置を用いて表示させ、該表示をON／OFF可能としたものがある（例えば特許文献１）。
【特許文献１】特許第２６５１２５７号公報
【発明の開示】
【発明が解決しようとする課題】
【０００３】
上述の特許文献１においては、撮影処理の際に用いる測光領域を変更した際にのみ被写体像と変更後の測光領域とを重ねて表示するものである。そのため、ユーザーが実際に撮影する場合に測光領域がわからなくなってしまう問題がある。また、焦点検出領域は増加傾向にあり、多数の焦点検出領域と共に複数の測光領域をファインダ画面表示の被写体像に重ねて表示すると、表示が煩雑となり被写体が観察しづらくなる。また、焦点検出や測光の領域を表示するための表示用配線等が複雑となる。
【０００４】
本発明は、ユーザーが容易に測光領域を確認可能なカメラを提供することを目的とする。
【課題を解決するための手段】
【０００５】
本発明におけるカメラは、被写体を観察可能なファインダ装置と、焦点検出可能な領域を示す複数の焦点検出領域を前記ファインダ装置により観察される被写体と重ねて表示させる焦点検出領域表示部と、前記被写体の輝度値を測定する、複数の受光領域を有する測光部と、少なくとも１つの前記受光領域から構成される測光領域を用いて又は重点的に用いて露出値を演算する露出演算処理部と、レリーズ釦と、前記レリーズ釦が押圧操作された際に、該押圧操作に応じて実行される焦点調節に用いられる焦点検出領域を所定時間表示し終えた後に、選択された前記測光領域に相当する焦点検出領域を前記焦点検出領域表示部によって所定時間表示させる制御部とを具備する。
【発明の効果】
【０００６】
本発明におけるカメラでは、ユーザーが容易に測光領域を確認可能となる。
【発明を実施するための最良の形態】
【０００７】
本発明をデジタルカメラに適用した実施の形態について説明する。本実施の形態におけるデジタルカメラ１の断面図を図１に示す。デジタルカメラ１はカメラボディ２０に交換レンズ１０を着脱可能なレンズ交換式一眼レフデジタルカメラである。
【０００８】
交換レンズ１０には、複数のレンズからなる撮像光学系１１および絞り１２が配置されている。不図示の被写体からの被写体像光束は、撮像光学系１１、絞り１２を通りカメラボディ２０に入射する。カメラボディ２０に入射した被写体像光束は、撮像光学系１１の光軸に対して斜設された状態（以後ミラーダウン状態と称す）にあるクイックリターンミラー２１で上方に屈曲される。クイックリターンミラー２１で屈曲された被写体像光束はフォーカシングスクリーン２２に結像される。フォーカシングスクリーン２２に結像された被写体像は、PN（ポリマーネットワーク）液晶２３、ペンタプリズム２４、３枚構成の接眼光学系２５を介してユーザーにより観察される。
【０００９】
PN液晶２３は、電圧を印加することにより所定領域の透過率を変更可能な周知の液晶表示装置である。本実施の形態においては、PN液晶２３の所定の焦点検出領域を非透過とすることにより焦点検出領域が表示される。つまりフォーカシングスクリーン２２に結像した被写体像に重ねて焦点検出領域が黒く表示される。
【００１０】
また、ペンタプリズム２４の被写体像光束射出面上部には被写体輝度を測定するために、測光プリズム２９、測光レンズ３０および赤外カットフィルター３１、測光センサー３２が配置されている。ペンタプリズム２４の被写体像光束射出面下部には表示プリズム２６、データ表示用液晶２７およびバックライト２８が配置されている。データ表示用液晶２７の表示内容は、表示プリズム２６、ペンタプリズム２４および観察光学系２５を通して、ファインダ表示画面下部のデータ表示領域６６（図４参照）に表示される。ファインダ画面表示については後述する。
【００１１】
クイックリターンミラー２１は、その中央に半透過領域およびサブミラー４１が設けられている。該半透過領域を透過した被写体像光束はサブミラー４１で屈曲されカメラボディ２０下部に設けられた焦点検出センサー４２へ導かれる。焦点検出センサー４２は、周知の位相差検出方式の焦点検出装置であり、計７９点の焦点検出領域のデフォーカス量を検出するための受光装置である。また、クイックリターンミラー２１は、上述のミラーダウン状態より、撮像光学系１１を透過した被写体像光束より退避したミラーアップ状態に回転駆動可能である。なお、サブミラー４１もクイックリターンミラー２１がミラーアップ状態に退避する際に共に被写体像光束から退避する。ユーザーが不図示のレリーズ釦１０１（SW２）を全押操作することにより、クイックリターンミラー２１が、ミラーアップ状態へ駆動され、続いて露光時間を制御するためのシャッター４３のシャッター幕が開口する。これにより撮像光学系１１を透過した被写体光束は、シャッター開口およびローパスフィルター４４を透過して、撮像素子４５に結像される。カメラボディ２０背面には、液晶およびバックライトから構成される背面液晶４６が配置されている。
【００１２】
カメラボディ２０の背面図を図２に示す。カメラボディ２０背面には、測光モードセレクトダイアル４７、メニュー釦４８、ENTER４９、十字方向に４点のスイッチを有する周知の十字キーであるマルチセレクター５０、ファインダ接眼窓５１等が配置されている。
【００１３】
デジタルカメラ１のシステム構成を示すブロック図を図３に示す。MPU１００は、カメラの制御部であり、レリーズ釦１０１、露出制御部１０３、シャッター制御部１０４、絞り制御部１０５、焦点検出部１０６、焦点検出領域表示部１０７、データ表示部１０８、測光モード設定部１０９、画像処理制御部１１０、RAM１１１、EEPROM１１２、記憶媒体１１３、背面液晶部１１４、操作部１１５等と通信可能に接続されている。
【００１４】
レリーズ釦１０１は、第一ストロークに連動する半押スイッチSW１、および第二ストロークに連動する全押スイッチSW２からなる周知のレリーズスイッチである。
測光部１０２は測光センサー３２から出力された輝度値信号をA／D変換し露出制御部へ出力する。露出制御部１０３は、測光部１０２から出力された輝度値信号や設定されている測光モード、撮像感度、および設定シャッター速度値や設定絞り値等に基づき必要に応じて露出設定値（シャッタースピードや絞り値）を演算する。設定又は演算されたシャッタースピード値および絞り値は、RAM１１１に記憶される。シャッター制御部１０４は、RAM１１１に記憶されているシャッタースピード値を基にシャッター４３を駆動する。絞り制御部１０５は、RAM１１１に記憶されている絞り値を基に絞り１２を駆動する。
【００１５】
焦点検出調節部１０６は、ユーザーにより任意に設定又は自動的に設定された焦点調節に用いる焦点検出領域のデフォーカス量を検出する。焦点検出調整部１０６は、該検出されたデフォーカス量に応じて不図示のレンズ駆動部により撮像光学系１１の焦点調節用のレンズを駆動し被写体に合焦させる。
【００１６】
焦点検出領域表示部１０７は、PN液晶２３や不図示の照明装置等を含み、これらを制御する回路である。PN液晶２３により表示されている焦点検出領域は、照明装置により照明されることにより赤色に点灯表示可能である。データ表示部１０８は、データ表示用液晶２７及びバックライト２８を制御し、ファインダ画面表示の被写体像表示領域６０の外にあるデータ表示領域６６に撮影情報を表示させる（図４参照）。測光モード設定部１０９は、測光モード切替ダイアル４７の操作に応じて測光モードを切り替える。
【００１７】
撮像素子４５は、CCD、CMOS等の撮像素子である。撮像素子４５は、画像処理制御部１１０により制御される。撮像素子４５は、撮像面に結像された被写体像に対応した信号電荷を蓄積し、画像信号として出力する。画像処理制御部１１０では、前記画像信号に、種々の画像処理を行い、背面液晶４６に表示するための表示用画像データや記憶媒体１１３に記憶される記憶用画像データ等が作成される。さらに記憶用画像データは、必要に応じて圧縮処理が行われる。圧縮された記憶用画像データは、撮影データと共に画像ファイルとして記憶媒体１１３に記憶される。RAM１１１は、MPU１００や画像処理制御部１１０等が、処理の際に一時的にデータを保存するための記憶媒体である。EEPROM１１２は、デジタルカメラ１の電源をOFFしても記憶内容を保持するフラッシュメモリ等の記憶媒体である。記憶媒体１１３は、画像データ等を記憶するメモリーカード等の記憶媒体である。
【００１８】
背面液晶部１１４は、表示用画像データや、メニュー画面等を背面液晶４６に表示させる。操作部１１５は、測光モードダイアル４７、メニュー釦４８、ENTER４９、マルチセレクター５０等のデジタルカメラ１の操作部材を含む。
＜実施の形態におけるデジタルカメラ１＞
本実施の形態におけるデジタルカメラ１の、ファインダ画面表示について説明する。
【００１９】
＜ファインダ画面＞
ファインダ接眼窓５１より観察されるファインダ画面表示の様子を図４に示す。被写体像表示領域６０は、ファインダスクリーン２２に結像した被写体像が表示される領域である。また、被写体像表示領域６０の下方にはデータ表示領域６６が設けられており、上述したデータ表示用液晶２７に表示されたカメラ設定データ等が表示される。なお、表示されるカメラ設定データとは、測光モードを示す測光モードマーク６６aや、シャッター速度、絞り値等である。被写体像表示領域６０中央部には、焦点検出用センサー４２でデフォーカス量が検出可能な７９点の焦点検出領域６１がPN液晶により黒色（非透過状態）で表示されている。また、各焦点検出領域６１は、不図示の照明装置により照明することにより、それぞれ個別に赤色に点灯表示が可能である。
【００２０】
デジタルカメラ１では、３８４分割された受光領域（図格子線７０参照）のうち、所定の範囲に相当する受光領域をグループ化した複数の測光領域を有する。点線で示された測光領域６２（φ４ｍｍ）はスポット測光モードの際に露出演算に用いられる測光領域であり、測光領域６３（φ８ｍｍ）、６４（φ１２）６５（φ１５）は、中央部重点測光モードの際に露出演算時に重点が置かれる重点測光領域を示す。測光モードについては後述する。なお、図４では、説明のため便宜的に格子線７０および点線６２〜６５を実線又は点線で表示したが実際はこの格子線７０（各受光領域）は表示されない。また、図４に示すように、それぞれの測光領域６２〜６５は全受光領域中央を中心とした円形で示したが、実際には各受光領域は格子線７０で示したごとく格子状にならんでいる、そのため、各測光領域６２〜６５が設定された際に実際に各測光領域として使用される受光領域は、各測光領域６３〜６５で示す円内にある受光領域と、受光領域の半分以上が円（測光領域６２〜６５）内に含まれる受光領域とをまとめて測光領域としてグループ化して露出演算処理が行われる。なお、測光領域は楕円、直方体等の形状でも良い。
【００２１】
＜焦点検出領域の選択＞
ユーザーは、７９点ある焦点検出領域６１から撮像光学系１１の焦点調節に用いる焦点検出領域を任意に選択可能である。焦点調節に用いる焦点検出領域６１は、マルチセレクター５０を上下左右に押圧操作することにより変更される。焦点調節に用いる焦点検出領域６１が変更されると選択された焦点検出領域６１が赤色で所定時間照明される。また、レリーズ釦１０１が半押操作された際にも焦点調節に用いられる焦点検出領域が所定時間赤色で照明される。
【００２２】
なお、上述では、PN液晶２３に焦点検出領域６１を計７９点表示させ、ファインダ画面で被写体像と重ねて表示したが、焦点検出領域を被写体に重ねて表示させる方法はこれに限るものでは無い。例えば液晶とバックライトからなる液晶表示装置により表示された焦点検出領域を、接眼光学系２５内に斜設されたハーフミラー等のビームスプリッターにより被写体像光束に重ねて表示しても良い。また、フォーカシングスクリーン２２に直接焦点検出領域を刻印し、これに対し照明することにより点灯表示させてもよい。
【００２３】
＜測光モード＞
デジタルカメラ１は、測光領域がそれぞれ異なる、マルチパターン測光モード、中央部重点測光モード、スポット測光モードの３種類の測光モードで測光できる。ユーザーが、測光モードセレクトスイッチ４７を回転させ、指標４７aをマルチパターン測光マーク４７ｂ（マルチパターン測光モードを示す）又は中央部重点測光マーク４７ｃ（中央部重点測光モードを示す）又はスポット測光マーク４７ｄ（スポット測光モードを示す）に設定すると、測光モード設定部１０９によってカメラの測光モードが、指標４７aで示された測光マークの示す測光モードに設定される。
【００２４】
＜マルチパターン測光モード＞
マルチパターン測光モードは、受光領域全体を複数のグループに分割して測光し、予め記憶されている露出アルゴリズムに基づいて最適な露出値を演算する方式である。
【００２５】
＜中央部重点測光モード＞
中央部重点測光モードとは、所定の中央部の測光領域に重点をおいて露出値を演算する方式である。露出演算時に重点を置く重点測光領域は、φ８ｍｍの測光領域６３、φ１２ｍｍの測光領域６４、φ１５ｍｍの測光領域６５から、ユーザーにより任意に設定可能である。重点測光領域を設定するには、カメラボディ２０背面にあるメニュー釦４８を押圧操作して、背面液晶４６にメニューを表示させる。背面液晶４６に中央部重点測光領域の選択メニューが表示された様子を図５に示す。次にマルチセレクター５０の上方向または下方向を押圧操作すると、任意のメニュー項目φ８ｍｍ、φ１２ｍｍ、φ１５ｍｍに選択枠８０が移動する。ENTER４９またはマルチセレクター５０の右方向を押圧操作すると、選択枠８０により選択状態にあるメニュー項目が示す測光領域（φ８ｍｍまたはφ１２ｍｍまたはφ１５ｍｍ）が中央部重点測光モードの際に用いられる重点測光領域に設定される。設定された測光領域はEEPROM１１２に記憶される。なお、初期設定ではφ１２ｍｍの測光領域６４が重点測光領域として設定されている。
【００２６】
＜スポット測光モード＞
スポット測光モードは、ファインダ中心部の約φ４ｍｍに相当する部分の測光値を基に露出値を演算する方式である。
【００２７】
なお、スポット測光モードにおいて、複数の測光領域を選択可能としても良い。例えば測光領域６２と測光領域６３とをユーザーにより任意に設定可能とする。この場合ユーザーが設定した測光領域（測光領域６２又は６３）のみを用いて露出値の演算が行われる。
【００２８】
＜焦点検出領域による測光範囲の表示＞
図４に示すように、多点化された焦点検出領域６１（計７９個）の他に、測光領域６２〜６５全てをファインダ表示内の被写体像表示領域６０に被写体と重ねて表示した場合、ファインダ画面表示が煩雑になり被写体像が見にくくなってしまう。また、焦点検出領域や測光領域をPN液晶２３で表示させる場合、PN液晶２３の表示用配線が複雑となる。また、測光モードに関しては、データ表示領域６６に設定されている測光モードを示す測光モードマーク６６aが表示されるが、測光モードマーク６６aだけでは実際にファインダ像のどの領域が測光に用いられるか把握しづらい。
【００２９】
そこで本実施の形態におけるデジタルカメラ１は、露出演算に用いる又は重点的に用いる測光領域（６２〜６５）を、該測光領域に相当する領域にある焦点検出領域６１を表示させることによりユーザーが認識可能なように表示する。スポット測光モードで測光領域６２が表示されている場合のファインダ画面の様子を図６に示す。中央部重点測光モードでφ８ｍｍ（測光領域６３）が表示されている際のファインダ画面表示の様子を図７に示す。中央部重点測光モードでφ１２ｍｍ（測光領域６４）が表示されている際のファインダ画面表示の様子を図８に示す。中央部重点測光モードでφ１５ｍｍ（測光領域６５）が表示されている際のファインダ画面表示の様子を図９に示す。図６〜図９に示すごとく、露出演算処理の際に用いる測光領域６２〜６５の表示は、各測光領域内にその半分以上がある焦点検出領域６１が赤色に照明される。なお、図６〜図９において、赤色に照明された焦点検出領域は他の焦点検出領域より太線で示すことにより表現されている。また、マルチパターン測光の際には、露出演算時には測光センサーの受光領域全体を用いるため、焦点検出領域６１による測光領域の表示は行われない。
【００３０】
なお、測光領域の表示方法として、各測光領域６２〜６５を示す点線付近にある焦点検出領域６１のみ照明して表示してもよい。つまり、測光領域は焦点検出領域６１により、略リング形状で表示される。測光領域６４（φ１２ｍｍ）を略リング形状で表示した際のファインダ画面の様子を図１０に示す。
【００３１】
＜測光領域の表示タイミング＞
上述した測光領域の表示は、レリーズ釦１０１が半押操作（SW１がON）され、焦点調節に用いられる焦点検出領域を照明した後、および測光モードが切り替えられた時に行われる。
【００３２】
＜撮像モードでの測光処理＞
デジタルカメラ１は電源がONされると、撮像処理と露出演算処理とが平行して開始される。
【００３３】
露出演算処理が開始されると、所定周期ごと（たとえば０．１秒ごと）に露出演算制御部１０３により露出値が算出さる。算出された該露出値はRAM１１１の露出値記憶領域に随時更新されて記憶される。
＜撮影処理のフロー＞
次に撮像処理の流れを図１１のフロー図を用いて説明する。
【００３４】
まず、撮像処理が開始されると、レリーズ釦１０１が押圧操作されるまで待機する。レリーズ釦１０１が半押操作（SW１がON）されると（ステップS１０１）、撮影準備処理が開始され、RAM１１１より焦点検出に用いる焦点検出領域情報を読み込み、該焦点検出領域を所定時間（本実施の形態ではは０．５秒）の間赤色に照明する（ステップS１０２）。
【００３５】
次に、測光モードがどのモードであるかが判定される（ステップS１０３〜S１０４）。
測光モードが中央部重点測光モードであった場合は、EEPROM１１２に記憶されている重点測光領域を読み出し（ステップS１０５）、該読み出した重点測光領域に相当する焦点検出領域を所定時間（本実施の形態ではは０．５秒）の間赤色に照明する（ステップS１０６、図７〜図９参照）。
【００３６】
測光モードがスポット測光モードであった場合は、φ４ｍｍの測光領域６２に相当する焦点検出領域を所定時間（本実施の形態ではは０．５秒）の間赤色に照明する（ステップS１０７、図６参照）。
【００３７】
測光モードがマルチパターン測光モードであった場合は、焦点検出領域の照明は行わない（ステップS１０３）。
測光モードの判定および測光領域の照明処理（ステップS１０３〜ステップS１０７）が終了すると、焦点検出部１０６により焦点検出に用いる焦点検出領域のデフォーカス量を算出し、該デフォーカス量を基に撮像光学系１１を調整する（ステップS１０８）。
【００３８】
以上の撮影準備処理（ステップS１０２〜ステップS１０８）が終了すると、レリーズ釦１０１が全押操作されるまで待機する（ステップS１０９〜S１１０）。なお、レリーズ釦１０１の半押操作が解除（SW１がOFF）された場合は、撮像処理を終了する（ステップS１１０で否定）。
【００３９】
レリーズ釦１０１が全押操作されると、RAM１１１より露出値（シャッタースピード値および絞り値）を読み出し（ステップS１１１）、該露出値に基づき（ステップS１１２）画像が撮像され終了する。
【００４０】
上述したように、本発明を適用した実施の形態におけるデジタルカメラ１は、設定されている測光領域を焦点検出領域の表示部によって表すため、ファインダ画面表示を煩雑化せずに測光領域の確認ができる。さらには、ファインダ画面表示で被写体像にスーパーインポーズ表示させるための表示部材（本実施の形態ではPN液晶２３）の構成が容易となる。
【００４１】
また、デジタルカメラ１は、レリーズ釦１０１の半押操作に応じて測光領域を表示する。そのためレリーズ前に測光範囲を確認でき、ユーザーが、意図しない測光領域で誤って測光し撮像してしまう場合が軽減される。
【００４２】
なお、上述の実施の形態では、焦点検出領域を焦点検出を行う位置を示すために所定時間照明した後に、測光領域を示すために所定時間照明したが、測光領域を示すために照明した後に、焦点調節位置を示すために照明しても良い。
【００４３】
また、焦点検出領域を常時表示し、焦点調節位置または測光領域を示す時に赤色で照明して表示したが、焦点検出領域を常時表示しなくても良い。この場合は、レリーズ釦１０１の半押操作（SW１がON）や焦点検出に用いられる焦点検出領域の変更又は測光モードの変更の際に、焦点調節に用いられる焦点検出領域や測光領域に相当する焦点検出領域を、表示させる。これにより被写体像表示領域６０には被写体像のみ観察することができ、被写体像を観察しやすくなると共に、撮像前又は測光モード変更時に測光領域が表示されるため、ユーザーは、測光領域把握しつつスムーズに撮影処理が行える。
【００４４】
さらに、レリーズ釦１０１が半押操作（SW１がON）された際に順次、焦点調節に用いられる焦点検出領域や、測光領域に相当する焦点検出領域を所定時間（上述では０．５秒）づつ順次赤色照明して表示したが、焦点調節に用いられる焦点検出領域を照明する時間と、測光領域に相当する焦点検出領域を照明する時間を異なる時間としても良い。例えば、焦点調節に用いられる焦点検出領域を照明する時間より、測光領域に相当する焦点検出領域を照明する時間を短くする。これにより、ユーザーが焦点調節に用いられる焦点検出領域の表示と測光領域を示す焦点検出領域の表示の区別がつきやすい。
【００４５】
また、焦点調節に用いられる焦点検出領域と、測光領域に相当する焦点検出領域とをそれぞれ異なる色で表示するとしても良い。例えば焦点調節に用いられる焦点検出領域を赤色で表示し、測光領域に相当する焦点検出領域を緑色で表示する。これにより、ユーザーは視覚的に焦点調節に用いられる焦点検出領域表示と測光領域を示す焦点検出領域表示を容易に区別できる。
【００４６】
なお、本発明は、上述した光学ファインダーの代わりに液晶表示装置等の電子的な表示装置を用いた、いわゆる電子ビューファインダーを具備するカメラに適用することも可能である。その場合、個々の焦点検出領域を、液晶表示装置等の複数個のドットを用いて表示し、上記した実施の形態と同様に焦点検出領域表示を複数個用いることで、選択されている測光領域を表示すれば良い。あるいは、液晶表示装置は非常に細分化されているのでこれを利用して、焦点検出領域を最小の表示単位、１つのドットで表示することも可能である。この場合もその焦点検出領域を表示するドットを用いて選択されている測光領域を表示すれば良い。これにより、焦点検出領域表示を用いて測光領域を表示するため、ファインダ画面表示を煩雑化せずに測光領域の確認ができる。
【００４７】
以上本発明をデジタル一眼レフカメラに適用した場合について説明したがこれに限るものでは無い。例えば本発明をレンズ一体型デジタルカメラやビデオカメラ、銀塩カメラ等の撮像装置に適用しても良い。
【図面の簡単な説明】
【００４８】
【図１】デジタルカメラ１の断面図
【図２】カメラボディ２０の背面図
【図３】デジタルカメラ１のブロック図
【図４】ファインダ画面表示の様子
【図５】背面液晶に表示されたメニューの様子
【図６】φ４ｍｍ測光領域のファインダ画面表示の様子
【図７】φ８ｍｍ測光領域のファインダ画面表示の様子
【図８】φ１２ｍｍ測光領域のファインダ画面表示の様子
【図９】φ１５ｍｍ測光領域のファインダ画面表示の様子
【図１０】測光領域をリング形状で表示した際のファインダ画面表示の様子
【図１１】撮像処理のブロー図
【符号の説明】
【００４９】
１  デジタルカメラ
１０  交換レンズ
２０  カメラボディ
２１  クイックリターンミラー
２２  フォーカシングスクリーン
２３  PN液晶
２４  ペンタプリズム
２５  接眼光学系
３２  測光センサー
４２  焦点検出センサー
４３  シャッター
４５  撮像素子
４６  背面液晶
１００  MPU
１０１  レリーズ釦
１０２  測光部
１０３  露出制御部
１０４  シャッター制御部
１０５  絞り制御部
１０６  焦点検出部
１０７  フォーカスエリア表示部
１０８  データ表示部
１０９  測光モード設定部
１１０  画像処理制御部
１１３  記憶媒体
１１４  背面液晶部
１１５  操作部
【図１】
0004635776.tif 000002
【図２】
0004635776.tif 000003
【図３】
0004635776.tif 000004
【図４】
0004635776.tif 000005
【図５】
0004635776.tif 000006
【図６】
0004635776.tif 000007
【図７】
0004635776.tif 000008
【図８】
0004635776.tif 000009
【図９】
0004635776.tif 000010
【図１０】
0004635776.tif 000011
【図１１】
0004635776.tif 000012